(57)【要約】【課題】  ドレンパンの排出口がケーシング内部における電装品ボックスの奥側に配置されている場合でも、ドレンパンの排出口とドレン水配管との接続等の作業を効率よく行うことが可能な空気調和機を提供する。【解決手段】  空調室内機５０では、ケーシング１の内部に、開口Ｓを形成する正面パネル９側から電装品ボックス３０、ドレンパン２２の排出口およびドレン水配管３１が順に設けられている。ドレン水配管３１は、側板４，４に形成された穴４ａの一方から外部へ出せるような構成になっている。電装品ボックス３０の奥にあるドレンパン２２の排出口２２ａにアクセスしてドレン水配管３１の付け替え等の作業を行う際には、電装品ボックス３０を回動軸３０ａを中心にして手前側へ回動させる。【選択図】      図２
2006220321.tif 000002
【特許請求の範囲】
【請求項１】
両側の側面に穴（２４）がそれぞれ形成されたケーシング（１）と、
前記ケーシング（１）内にアクセスするために前記ケーシング（１）に形成された開口（Ｓ）と、
前記ケーシング（１）内に設置されており、前記ケーシング（１）内にドレン水の排出口（２２ａ）を有するドレンパン（２２）と、
一方の端部が前記ドレンパン（２２）の排出口（２２ａ）に接続され、他方の端部が前記ケーシング（１）の両側の側面にそれぞれ形成された穴（２４）の一方から前記ケーシング（１）の外部へ通されてドレン水を外部へ排出するドレン水配管（３１）と、
前記ドレンパン（２２）の排出口（２２ａ）と前記開口（２４）との間に配置されており、回動軸（３０ａ）を中心にして回動可能な状態で支持された電装品ボックス（３０）と、
を備えている空気調和機（５０）。
【請求項２】
前記開口（Ｓ）は、前記ケーシング（１）の正面側に形成されている、
請求項１に記載の空気調和機（５０）。
【請求項３】
前記ドレンパン（２２）の底面は、前記ケーシング（１）の正面から見て左右両側から中央部分に向かって下向きに傾斜している、
請求項１または２に記載の空気調和機（５０）。
【請求項４】
前記ドレン水配管（３１）は、前記ドレンパン（２２）との接続位置から前記ケーシング（１）外に向かって下向きに傾斜するように取り付けられている、
請求項１から３のいずれか１項に記載の空気調和機（５０）。
【請求項５】
前記ドレンパン（２２）の排出口（２２ａ）は、前記ケーシング（１）内における奥側に形成されており、
前記電装品ボックス（３０）は、前記ケーシング（１）内における正面側に配置されている、
請求項１から４のいずれか１項に記載の空気調和機（５０）。
【請求項６】
前記電装品ボックス（３０）の回動範囲の限界位置を決めるストッパ（３０ｂ）をさらに備えた、
請求項１から５のいずれか１項に記載の空気調和機（５０）。
【請求項７】
前記電装品ボックス（３０）を前記ケーシング（１）に対して固定する固定部材（３０ｄ）をさらに備えた、
請求項１から６のいずれか１項に記載の空気調和機（５０）。
【請求項８】
前記電装品ボックス（３０）と前記ドレンパン（２２）の排出口（２２ａ）とは、前記ケーシング（１）の正面から見て重なる位置に配置されている、
請求項１から７のいずれか１項に記載の空気調和機（５０）。
【請求項９】
前記ドレンパン（２２）の排出口（２２ａ）は、前記電装品ボックス（３０）の上端部分よりも下部にある、
請求項１から８のいずれか１項に記載の空気調和機（５０）。
【請求項１０】
前記ケーシング（１）の開口（Ｓ）と前記ドレンパン（２２）の排出口（２２ａ）との間に配置された冷媒連絡配管（４０）をさらに備えた、
請求項１から９のいずれか１項に記載の空気調和機（５０）。
【請求項１１】
前記冷媒連絡配管（４０）は、前記ケーシング（１）の正面から見て、前記電装品ボックス（３０）と横に並ぶように配置されている、
請求項１０に記載の空気調和機（５０）。
【請求項１２】
前記電装品ボックス（３０）に接続された配線（３０ｃ）は、前記回動軸（３０ａ）の近傍に集められている、
請求項１から１１のいずれか１項に記載の空気調和機（５０）。
【請求項１３】
前記ケーシング（１）に形成された開口（Ｓ）を覆うように前記ケーシング（１）に取り付けられる開閉パネル（９）をさらに備えた、
請求項１から１２のいずれか１項に記載の空気調和機（５０）。
【発明の詳細な説明】
【技術分野】
【０００１】
本発明は、ドレン水配管の接続位置となるドレンパンの排出位置がケーシング内における電装品ボックスの奥側に設けられている空気調和機に関する。
【背景技術】
【０００２】
近年、室内空間を快適な環境に保つために、室内空間に存在する顕熱負荷および潜熱負荷をそれぞれ処理する熱交換器を備えた空気調和機が提供されている。
例えば、特許文献１には、内部に送風機と熱交換器とを備えた床置き型の空調室内機が開示されている。
この空調室内機では、熱交換器が、正面パネルの背面側において送風機によって形成される空気の流れを横切るように配置されており、手前側から奥側に向かって下方に傾斜した状態で内部に取り付けられている。そして、送風機が運転を開始すると空気の流れが形成され、熱交換器を通過する空気と熱交換器を流れる冷媒との間で熱交換が行われる。
【０００３】
また、この空調室内機では、熱交換器において発生するドレン水を排出するために熱交換器の下部にドレン水を受けるドレンパンが設けられている。そして、ドレンパンに集まるドレン水を排出するために、ケーシングの両側の側板にドレンパンに通じる穴がそれぞれ形成されている。設置現場においては、設置場所の状況に応じて一方の穴にドレン水配管、他方の穴に密閉ふたが取り付けられて所望の側板側からドレン水が排出される。
【特許文献１】特開平１１−３０４１７７号公報（平成１１年１１月５日公開）
【発明の開示】
【発明が解決しようとする課題】
【０００４】
しかしながら、上記従来の空気調和機では、以下に示すような問題点を有している。
すなわち、上記従来の空気調和機では、設置現場における状況に応じて臨機応変にドレン水の排出向きを変更することができるようにするために、図７に示すように、ケーシング１０１の左右両側の側板１０４に形成された２つの穴のうち一方の穴１０４ａからドレン水を排出できるようになっている。そして、どちら側の穴１０４ａからもドレン水を排出できるように、ドレンパン１２２の底面は水平となっている。このため、ドレンパン１２２に溜まったドレン水はスムーズに外部へ排出されずにドレンパン１２２内に滞留するため、空気調和機１００内が不衛生になる。
【０００５】
ここで、ドレンパン１２２に溜まったドレン水をスムーズに外部へ排出することができるようにするために、ドレンパンに傾斜をつけて所定の方向へドレン水を流すようにすることも考えられる。しかし、この場合には、ドレン水を左右一方の方向へしか流せなくなり、空気調和機の設置現場の状況に応じてドレン水の排出方向を変更することができなくなる。
【０００６】
そこで、ドレンパンの底面の傾斜を左右両側から中央部に向かって下方傾斜させ、ドレン水の排出口をこのドレンパンの中央部に設けてドレン水配管を接続してドレン水を外部へ排出することも考えられる。この場合には、ドレン水配管の一方の端部をドレンパンの排出口に接続し、他方の端部を左右の側壁に形成された穴のいずれか一方から出すようにすることで、設置場所の状況に応じて臨機応変にドレン水を排出する向きを変更することができる。
【０００７】
しかし、多くの配線が繋がれた電装品ボックス（図７の符号１３０参照）の奥側にドレンパンの排出口が配置されている場合には、ドレン水配管の付け替え作業を行う際に電装品ボックスをケーシングから取り外す必要があり、作業性の面で非常に効率が悪くなる。さらに、上述のように、取り外した電装品ボックスには多くの配線が接続されているため、ケーシングから取り外した後の電装品ボックスの取り扱いにも充分気を使う必要があり、非常に面倒であった。
【０００８】
本発明の課題は、ドレンパンの排出口がケーシング内部における電装品ボックスの奥側に配置されている場合でも、ドレンパンの排出口とドレン水配管との接続等の作業を効率よく行うことが可能な空気調和機を提供することにある。
【課題を解決するための手段】
【０００９】
第１の発明に係る空気調和機は、ケーシングと、開口と、ドレンパンと、ドレン水配管と、電装品ボックスとを備えている。ケーシングは、両側の側面に穴がそれぞれ形成されている。開口は、ケーシング内にアクセスするためにケーシングに形成されている。ドレンパンは、ケーシング内に設置されており、ケーシング内にドレン水の排出口を有する。ドレン水配管は、一方の端部がドレンパンの排出口に接続され、他方の端部がケーシングの両側の側面にそれぞれ形成された穴の一方からケーシングの外部へ通されてドレン水を外部へ排出する。電装品ボックスは、ドレンパンの排出口と開口との間に配置されており、回動軸を中心にして回動可能な状態で支持されている。
【００１０】
ここでは、空気調和機の設置現場において施工されるドレン水配管（ホース含む）の接続先であるドレンパンの排出口が空気調和機のケーシング内にあるとともに、ドレン水配管を外部へ出すための穴がケーシングの両側の側面にそれぞれ形成されており、排出口へのドレン水配管の接続作業時にケーシング内にアクセスするための開口とドレンパンの排出口との間に電装品ボックスが配置された空気調和機において、電装品ボックスが回動軸を中心に回動するように支持されている。
【００１１】
通常、ドレンパンに溜まったドレン水をドレン水配管を介して外部へ排出するための排出口がケーシング内に形成されている場合には、ドレン水配管の接続、付け替え等の作業の際に、ケーシングの開口と排出口との間に配置された電装品ボックスが邪魔になって作業性が悪くなるケースが多い。また、空気調和機は、現場に搬送されてドレン水配管の取付けを左右入れ替える場合があるため、現場搬送後にドレン水配管の左右位置の付け替えを行う場合がある。
【００１２】
そこで、本発明の空気調和機では、ケーシングの開口からドレン水配管の接続を行う際に邪魔になる電装品ボックスを回動軸を中心にして回動させる。
これにより、現場に搬送された後で、ケーシングの開口から見て電装品ボックスの奥側にあるドレン水配管の付け替えや交換作業が必要になった場合でも、開口からドレン水配管までのアクセスが容易になるため、ドレン水配管に関する作業の作業性を大幅に向上させることができる。
【００１３】
第２の発明に係る空気調和機は、第１の発明に係る空気調和機であって、開口は、ケーシングの正面側に形成されている。
ここでは、ドレン水配管等の作業を行う際にケーシング内にアクセスするための開口を、ケーシングの正面側に形成している。
これにより、ドレン水配管等の作業時には、ケーシングの正面側に形成された開口からドレン水配管のドレンパンの排出口への接続位置までアクセスすることができるため、さらに作業性を向上させることができる。
【００１４】
第３の発明に係る空気調和機は、第１または第２の発明に係る空気調和機であって、ドレンパンの底面は、ケーシングの正面から見て左右両側から中央部分に向かって下向きに傾斜している。
ここでは、ケーシング内に熱交換器等において発生するドレン水を集めるドレンパンからドレン水をスムーズに排出するために、ドレンパンの底面をケーシング正面から見て左右両側から中央部分に向かって傾斜させている。この場合、ドレンパンに集まるドレン水はドレンパン内に滞留することなくスムーズに排出されるが、ドレン水配管の取り付け位置はドレンパンの中央部分となるため、通常、電装品ボックス等で前面を覆われて作業しにくい。
【００１５】
本発明の空気調和機では、上述のように電装品ボックスを回動させることができるため、ドレンパンの底面が中央部に向かって下方傾斜しており、ドレン水の排出口がドレンパン（ケーシング）の中央部分付近になる場合でも、容易にドレン水配管の付け替え等の作業を行うことができる。また、ドレンパンの排出口が配置された中央部付近に向かって傾斜しているため、ドレン水の排出をスムーズに行うことができる。よって、ドレンパンの中に長時間ドレン水が滞留することを防止してケーシング内を清潔に保つことができる。さらに、ドレンパンの排出口がケーシングの中央部付近にあるため、ドレン水配管を左右いずれの向きにも設置することができる。
【００１６】
第４の発明に係る空気調和機は、第１から第３の発明のいずれか１つに係る空気調和機であって、ドレン水配管は、ドレンパンとの接続位置からケーシング外に向かって下向きに傾斜するように取り付けられている。
ここでは、ドレン水配管がドレンパンの排出口に接続されてケーシングの両側の側面にそれぞれ形成された穴の一方から出るように設置された際に、ドレン水配管がケーシング外部に向かって下方傾斜するように取り付けられる。言い換えれば、ドレン水配管のドレンパンとの接続位置が、ケーシング両側の側面にそれぞれ形成された穴よりも上側にある。
【００１７】
これにより、ドレン水配管に入ったドレン水をスムーズにケーシング外へと排出することができる。
第５の発明に係る空気調和機は、第１から第４の発明のいずれか１つに係る空気調和機であって、ドレンパンの排出口は、ケーシング内における奥側に形成されており、電装品ボックスは、ケーシング内における正面側に配置されている。
【００１８】
ここでは、ドレン水配管を接続するドレンパンの排出口が、開口から見てケーシングの奥側、電装品ボックスがケーシングの正面側に配置されている。
このように、ドレン水配管に関する作業がやりにくいケーシング内の配置であっても、本発明の空気調和機によれば、電装品ボックスを回動させることで容易にドレン水配管の付け替え作業等を行うことができる。
【００１９】
第６の発明に係る空気調和機は、第１から第５の発明のいずれか１つに係る空気調和機であって、電装品ボックスの回動範囲の限界位置を決めるストッパをさらに備えている。
ここでは、電装品ボックスの回動範囲をひもや金具等のストッパによって制限している。
これにより、作業し易い範囲まで電装品ボックスを回動させてその位置で固定することができるため、作業時における電装品ボックスの損傷等を防止することができる。
【００２０】
第７の発明に係る空気調和機は、第１から第６の発明のいずれか１つに係る空気調和機であって、電装品ボックスをケーシングに対して固定する固定部材をさらに備えている。
ここでは、通常時あるいはドレン水配管の作業を完了した後には、固定部材によってケーシングに対して固定される。
これにより、ドレン水配管に関する作業を行う際以外には、電装品ボックスが回動しないようにケーシング側に固定することができる。
【００２１】
第８の発明に係る空気調和機は、第１から第７の発明のいずれか１つに係る空気調和機であって、電装品ボックスとドレンパンの排出口とは、ケーシングの正面から見て重なる位置に配置されている。
ここでは、ドレン水配管を接続するドレンパンの排出口が、正面視において電装品ボックスと重なる位置に配置されている。
【００２２】
このように、ドレン水配管の接続、取り替え等の作業がし難い位置関係であっても、電装品ボックスを回動させることで容易に作業を行うことが可能になる。
第９の発明に係る空気調和機は、第１から第８の発明のいずれか１つに係る空気調和機であって、ドレンパンの排出口は、電装品ボックスの上端部分よりも下部にある。
ここでは、ドレン水配管を接続するドレンパンの排出口が、電装品ボックスの上端部分よりも下方に配置されている。
【００２３】
このため、通常はドレン水配管とドレンパンの排出口との接続位置の前から電装品ボックスを除去しないと作業がし難いが、本発明の空気調和機によれば、電装品ボックスを回動させることでドレン水配管の接続位置までのアクセスを容易にしてドレン水配管に関する作業の作業性を向上させることができる。
第１０の発明に係る空気調和機は、第１から第９の発明のいずれか１つに係る空気調和機であって、ケーシングの開口とドレンパンの排出口との間に配置された冷媒連絡配管をさらに備えている。
【００２４】
ここでは、ケーシング内において、開閉パネルを開けて形成される開口と、ドレン水配管を接続するドレンパンの排出口との間には、熱交換器に接続される冷媒連絡配管が配置されている。
これにより、さらにドレン水配管に関する作業がし難い配置となるが、本発明の空気調和機によれば、電装品ボックスを回動させることでドレン水配管の接続位置までのアクセスを容易にしてドレン水配管に関する作業の作業性を向上させることができる。
【００２５】
第１１の発明に係る空気調和機は、第１０の発明に係る空気調和機であって、冷媒連絡配管は、ケーシングの正面から見て、電装品ボックスと横に並ぶように配置されている。
ここでは、冷媒連絡配管が、ケーシングの正面から見て電装品ボックスとともに並列配置されている。
これにより、電装品ボックスの側方からも手を入れることが困難になるが、本発明の空気調和機によれば、電装品ボックスを回動させることでドレン水配管の接続位置までのアクセスを容易にしてドレン水配管に関する作業の作業性を向上させることができる。
【００２６】
第１２の発明に係る空気調和機は、第１から第１１の発明のいずれか１つに係る空気調和機であって、電装品ボックスに接続された配線は、回動軸の近傍に集められている。
ここでは、電装品ボックスから延びる各種配線が、電装品ボックスの回動中心の付近に集められている。
これにより、ドレン水配管に関する作業時において電装品ボックスを回動させた場合でも、配線を切断したり損傷したりする問題の発生を回避することができる。
【００２７】
第１３の発明に係る空気調和機は、第１から第１２の発明のいずれか１つに係る空気調和機であって、ケーシングに形成された開口を覆うようにケーシングに取り付けられる開閉パネルをさらに備えている。
ここでは、ケーシングの内部にアクセスするための開口を開閉可能な開閉パネルによって覆っている。
【００２８】
これにより、ドレン水配管等の作業時においてのみ開閉パネルを取り外して開口を露出させて作業を行うことができ、通常の使用時におけるケーシング内部の汚れの発生を回避できる。
【発明の効果】
【００２９】
第１の発明に係る空気調和機によれば、ドレン水配管に関する作業の作業性を大幅に向上させることができる。
第２の発明に係る空気調和機によれば、さらに作業性を向上させることができる。
第３の発明に係る空気調和機によれば、ドレン水配管のドレンパンとの接続位置が中央部分付近である場合でも、容易にドレン水配管の付け替え等の作業を行うことができる。
【００３０】
第４の発明に係る空気調和機によれば、ドレン水配管に入ったドレン水をスムーズにケーシング外へと排出することができる。
第５の発明に係る空気調和機によれば、電装品ボックスを回動させることで容易にドレン水配管の付け替え作業等を行うことができる。
第６の発明に係る空気調和機によれば、作業時における電装品ボックスの損傷等を防止することができる。
【００３１】
第７の発明に係る空気調和機によれば、ドレン水配管に関する作業を行う際以外には、電装品ボックスが回動しないようにケーシング側に固定することができる。
第８の発明に係る空気調和機によれば、電装品ボックスを回動させることで容易に作業を行うことが可能になる。
第９の発明に係る空気調和機によれば、電装品ボックスを回動させることで容易にドレン水配管に関する作業を行うことができる。
【００３２】
第１０の発明に係る空気調和機によれば、電装品ボックスを回動させることで作業性を向上させることができる。
第１１の発明に係る空気調和機によれば、電装品ボックスを回動させることで作業性を向上させることができる。
第１２の発明に係る空気調和機によれば、配線を切断したり損傷したりする問題の発生を回避することができる。
【００３３】
第１３の発明に係る空気調和機によれば、ドレン水配管等の作業時においてのみ開閉パネルを取り外して開口を露出させて作業を行うことができる。
【発明を実施するための最良の形態】
【００３４】
本発明の一実施形態に係る空気調和機について、図１〜図６を用いて説明すれば以下の通りである。
［空調室内機５０全体の構成］
本実施形態の空調室内機（空気調和機）５０は、図１〜図３に示すように、床置型の空調室内機であって、直方体形状のケーシング１と、該ケーシング１内の空気通路を横切るように配設された熱交換器２と、熱交換器２の上方に配設された送風機３とを備えている。なお、空調室内機５０は、室外に配置された図示しない空調室外機と冷媒配管（図３の符合４０等）を介して接続されており、空調室外機側に冷媒回路を構成する圧縮機等を収納している。
【００３５】
ケーシング１は、一対の側板４，４と、側板４，４の前端間に取り付けられた前面板５と、側板４，４の後端間に取り付けられた背面板６と、天板７および底板８とによって構成されている。また、これらの側板４，４や背面板６、後述するメンテナンスパネル１０の内側の面には、アルミシートによって覆われたガラスウールが断熱材として設置されている。このような断熱材は、吸水性がほとんどなく耐摩耗性も優れているため、空調室内機５０の内部の清掃を、散水後に雑巾で拭き取る等の方法で容易に行うことができる。なお、以降で説明する正面側、背面側とは、上述した前面板５側、背面板６側をそれぞれ意味するものとする。
【００３６】
熱交換器２は、図２に示すように、後述するメンテナンスパネル１０の背面側であって、送風機３によって形成される空気の流れを横切るように配置されている。また、熱交換器２は、メンテナンスパネル１０を外すと現れる開口の手前側から奥側に向かって下方に傾斜した状態でケーシング１の内部に取り付けられている。熱交換器２を支持するための下枠１３は、側板４，４の両後端に形成された係止部１５，１５に係止されている。一方、上枠１４は、側板４，４の両前端縁付近に形成された取付板１６に係止された状態でビス止めされている。
【００３７】
送風機３は、図１〜図３に示すように、空調室内機５０の上部に取り付けられており、スクロールタイプのファンケーシング１７と、ファンモータ１８およびベルト１９、プーリ２１（駆動部）と、図示しないファンロータ（シロッコファン）とを有している。
ファンケーシング１７は、天板７（ダクト１２）の方向に空気を吹き出す吹出口１７ａとファンロータの回転軸２０ａの方向における両側から空気を吸い込む吸気口１７ｂとを有している。そして、送風機３は、ファンモータ１８の回転駆動力をプーリ２１、ベルト１９を介して回転軸２０ａに伝達し、ファンケーシング１７に収納されたファンロータを回転させて、吸気口１７ｂから吸い込んだ空気を吹出口１７ａから排出する。
【００３８】
一対の側板４，４は、空調室内機５０の側面における外郭を形成するとともに、送風機３のファンモータ１８や回転軸２０ａ等を両側から支持している。また、側板４，４は、各後端部縁を内側に切り起こして形成される係止部１５を有している。さらに、側板４，４には、下方部分にドレン水配管３１を通すための穴４ａや冷媒配管４０を通すための穴４ｂが形成されている。このように、両側の側板４，４に穴４ａ，４ｂを形成しておくことで、設置場所の設置環境等に応じて、ドレン水配管３１や冷媒配管４０の取り付け向きを設置現場においてどちら側にも変更することができる。
【００３９】
前面板５には、上下方向における中間部分に空気吸込口１０ａが形成されており、この空気吸込口１０ａを覆うように、下端部を回動中心とするメンテナンスパネル１０が開閉自在に設けられている。メンテナンスパネル１０は、メンテナンス等を行う際に開けられ、熱交換器２の洗浄等を行う。
背面板６は、通常、空調室内機５０の設置する際には壁側になるように配置される側の外郭を形成する。
【００４０】
天板７には、空気吹出口１１が形成されている。空気吹出口１１は、調和空気を所望の場所から吹き出すように誘導するダクト１２と接続されている。
底板８には、ドレンパン２２の下方空間に、熱交換器と接続された冷媒配管４０に取り付けられた図示しない電磁弁、各種電気部品を収納した電装品ボックス３０等が載置されている。なお、底板８とドレンパン２２の裏面側との間に設けられた電装品ボックス３０の構成については、後段にて詳述する。
【００４１】
また、熱交換器２の下方には、図２に示すように、熱交換器２から落下するドレン水を受け止めるためのドレンパン２２が配設されている。
［ドレンパン２２の構成］
本実施形態の空調室内機５０が備えているドレンパン２２は、図１および図２に示すように、前面側が上位に位置し、かつ背面側が下位に位置するように傾斜しているとともに、側板４，４の両側の端部から中央部付近にかけて下方傾斜している。これにより、ドレンパン２２へ落ちてきたドレン水を、ドレンパン２２の奥側（ケーシング１の背面側）かつ中央部に集めることができる。
【００４２】
また、ドレンパン２２は、背面板６との接合部分の近傍に形成された排出口２２ａを有している。この排出口２２ａは、上述した傾斜によってドレンパン２２における最も低い位置に形成されており、ドレンパン２２上のドレン水が排出口２２ａに向かって集まるような構成になっている。また、排出口２２ａは、図１に示すように、電装品ボックス３０の上端部分よりも鉛直方向において下方に位置している。さらに、排出口２２ａは、正面視において、電装品ボックス３０と重複する位置に配置されている。よって、この状態では、電装品ボックス３０が邪魔になり、ドレン水配管３１に関する作業がし難い配置となっている。
【００４３】
ドレンパン２２は、熱交換器２が配置されたケーシング１内における中段部分の空間と、電装品ボックス３０等が配置された下段部分の空間とを仕切るように配置されている。これにより、メンテナンスパネル１０を開けて熱交換器２を水洗いするような場合でも、電装品ボックス３０や冷媒配管４０等に水がかかることなく熱交換器２の洗浄を行うことができるとともに、熱交換器２を洗浄する際にドレンパン２２上に落ちてくる水を効率よく排出口２２ａの位置へ誘導することができる。
【００４４】
［ドレン水配管３１の構成］
本実施形態の空調室内機５０では、外部へドレン水を排出するために、ドレンパン２２の排出口２２ａに接続されて金属バンドで固定されたドレン水配管３１を有している。
ドレン水配管３１は、ホース状の部材であって、図４に示すように、正面視において左側の側板４に形成された穴４ａから外部へ出ており、ドレンパン２２から排出口２２ａを介してほぼ直角に近い角度で曲がりながら側板４の穴４ａを介してドレン水を空調室内機５０の外へ排出する。
【００４５】
なお、ドレン水配管３１の取り付けは、以下のようにして行われる。まず、ドレン水を排出する側の側板４に形成された穴４ａの外側からケーシング１の内部に向かってドレン水配管３１を通す。そして、ドレン水配管３１の一方の端部をドレンパン２２の排出口２２ａに接続し、金属製のバンドで縛って固定する。これにより、ドレン水配管３１の空調室内機５０への取付けが完了する。このため、現場の設置状況等から設置現場において出荷時に取り付けられている向きとは反対の向きにドレン水配管３１の向きを変更したい場合には、電装品ボックス３０の奥にあるドレンパン２２の排出口２２ａの方へ手を入れて上記金属製のバンドを緩める必要がある。
【００４６】
ドレン水配管３１が接続されるドレンパン２２の排出口２２ａは、ドレン水配管３１が挿入される側板４の穴４ａに対して高所にある。このため、ドレン水配管３１は、図４に示すように、ドレンパン２２の排出口２２ａとの接続位置から側板４の穴４ａに至るまで下方に傾斜した状態で取り付けられる。これにより、排出口２２ａから流入したドレン水を、効率よく外部へ排出することができる。
【００４７】
［電装品ボックス３０の構成］
本実施形態では、図１および図２に示すように、各種電気部品を収納した電装品ボックス３０が、空調室内機５０のケーシング１内における下段の空間に配置されている。
電装品ボックス３０は、図２に示すように、ケーシング１内における最も正面パネル９側であって、ドレンパン２２の排出口２２ａの手前側の部分を覆うように配置されている。そして、図１に示すように、正面視において、電装品ボックス３０の右横には、冷媒配管４０が配置されている。このため、このままでは、正面パネル９を外して形成される開口Ｓは、電装品ボックス３０および冷媒配管４０によって塞がれており、開口Ｓからドレンパン２２の排出口２２ａに対してアクセスすることは困難な状態になっている。
【００４８】
また、電装品ボックス３０は、図５（ａ）および図５（ｂ）に示すように、下端部付近に取り付けられた支軸（回動軸）３０ａを中心として回動する。支軸３０ａは、電装品ボックス３０を両側の下端部において支持する１組の金具の一部である金属製の棒状の部材である。
また、電装品ボックス３０に接続されている複数の配線３０ｃは、図１に示すように、正面視において電装品ボックス３０の右側であって、回動中心となる支軸３０ａの近傍に集められている。このため、図５（ｂ）に示すように、電装品ボックス３０を回動させた場合でも、配線３０ｃが過度に引っ張られて配線が断線する等の問題の発生を回避することができる。なお、図１では、説明の便宜上、配線３０ｃが１本の線として表しているが、実際には複数の配線がまとめられているものとする。
【００４９】
さらに、電装品ボックス３０は、運転時等を含む通常時には、図１および図５（ａ）に示すように、ねじ（固定部材）３０ｄによってケーシング１に対して固定されている。このため、電装品ボックス３０を回動させる際には、ねじ３０ｄを外した後、支軸３０ａを中心として電装品ボックス３０を回動させる。これにより、必要時以外での電装品ボックス３０の回動を防止している。
【００５０】
なお、電装品ボックス３０は、一端が電装品ボックス３０の側面上部に、他端がケーシング１の側板４の内側に結ばれたワイヤー（ストッパ）３０ｂによって回動範囲が規制されている。ワイヤー３０ｂは、電装品ボックス３０がほぼ９０度回動した位置で止まるように長さが決められている。このため、ケーシング１内部における電装品ボックス３０の奥にあるドレン水配管３１の付け替え等を行う際には、電装品ボックス３０をほぼ９０度回動させた状態とし、充分な広さの開口Ｓを確保した上で作業を行うことができる。また、ワイヤー３０ｂによって回動範囲を規制することで、ドレン水配管３１の付け替え等の作業中に電装品ボックス３０が過度に回動しすぎて破損するといった不具合の発生を回避できる。
【００５１】
［空調室内機５０の特徴］
（１）
本実施形態の空調室内機５０では、図１および図２に示すように、ケーシング１の内部に、開口Ｓを形成する正面パネル９側から電装品ボックス３０、ドレンパン２２の排出口２２ａおよびドレン水配管３１が設けられている。また、ドレン水配管３１は、側板４，４に形成された穴４ａの一方から外部へ出せるような構成になっている。そして、電装品ボックス３０の奥にあるドレンパン２２の排出口２２ａにアクセスしてドレン水配管３１の付け替え等の作業を行う際には、図５（ｂ）に示すように、電装品ボックス３０を支軸３０ａを中心にして手前側へ回動させる。
【００５２】
これにより、設置現場まで搬送された際にドレン水配管３１の向きが現場の状況からみて反対向きに取り付けられており、設置現場においてドレン水配管３１の付け替え作業が必要な場合でも、作業を行うために必要なスペースを確保することができる。よって、容易にドレン水配管３１の作業を行うことができる。すなわち、ドレン水配管３１をドレンパン２２接続する排出口２２ａの前部を覆うように配置された電装品ボックス３０を支軸３０ａを中心にして回動させることで作業空間を形成し、正面パネル９を外して形成される開口Ｓからドレン水配管３１を接続する排出口２２ａまで容易にアクセスすることができる。このため、電装品ボックス３０が回動不能な従来の空調室内機と比較して、ドレン水配管３１の向きを付け替える作業の作業効率を大幅に向上させることができる。
【００５３】
（２）
本実施形態の空調室内機５０では、正面パネル９を外すと現れる開口Ｓは、図１に示すように、空調室内機５０（ケーシング１）の正面側に形成されている。
これにより、ドレン水配管３１の付け替え作業等を行う際には、空調室内機５０の正面側からドレン水配管３１を接続する位置までアクセスすることができる。よって、空調室内機５０の横や裏面側からの作業と比較して、作業性を向上させることができる。
【００５４】
（３）
本実施形態の空調室内機５０では、ドレン水を集めるドレンパン２２が、両側の側板４側から中央部付近に向かって下方傾斜している（図１の符合２２の点線部分参照）。
これにより、ドレンパン２２上に集まったドレン水を、ドレンパン２２の中央部付近に形成された排出口２２ａまでスムーズに導くことができる。よって、ドレンパン２２上に長時間ドレン水が滞留することがないため、空調室内機５０の内部を常に清潔に保つことができる。
【００５５】
なお、このようにドレンパン２２に形成されたドレン水の排出口２２ａがケーシング１のほぼ中央にあって電装品ボックス３０等の裏側になる場合でも、本実施形態の空調室内機５０によれば電装品ボックス３０を回動させて排出口２２ａの前のスペースを開放できるため、作業性が悪くなることはない。
（４）
本実施形態の空調室内機５０では、図４に示すように、ドレン水配管３１が、ドレンパン２２との接続位置である排出口２２ａから外部につながる側板４の穴４ａ向かって下方傾斜するように取り付けられている。
【００５６】
これにより、排出口２２ａから流入するドレン水をスムーズに外部へと排出することができる。
（５）
本実施形態の空調室内機５０では、図２に示すように、ドレンパン２２の排出口２２ａがケーシング１の奥側に、電装品ボックス３０がケーシング１の最も正面側にそれぞれ配置されている。
【００５７】
このため、通常は、ドレン水配管３１の付け替え等の作業を行う際には、電装品ボックス３０が邪魔になって作業性を悪化させることになるが、本実施形態では、電装品ボックス３０を支軸３０ａを中心にして手前側に回動させることができるため、電装品ボックス３０をケーシング１から取り外すことなく、ドレン水配管３１に関する作業性を向上させることができる。
【００５８】
（６）
本実施形態の空調室内機５０では、図５（ｂ）に示すように、支軸３０ａを中心にして回動可能な電装品ボックス３０の回動範囲を、一端が電装品ボックスの側面上部に、他端が側板４に接続されたワイヤー３０ｂによって規制している。
これにより、ドレン水配管３１の付け替え作業等を行う際に電装品ボックス３０を回動させる場合でも、回動する範囲を規制することにより、作業中に電装品ボックス３０が回動しすぎて配線が切れる、電子部品が破損する等の問題の発生を回避することができる。
【００５９】
（７）
本実施形態の空調室内機５０では、図１および図５（ａ）に示すように、電装品ボックス３０をケーシング１に対して固定するねじ３０ｄを有している。
これにより、ドレン水配管３１を付け替える作業時等の電装品ボックス３０を回動させる必要があるとき以外は、電装品ボックス３０が回動しないようにケーシング１側に固定することができる。
【００６０】
（８）
本実施形態の空調室内機５０では、図１に示すように、ドレン水配管３１を接続する排出口２２ａと、正面パネル９を開けて現れる開口Ｓの大部分を覆っている電装品ボックス３０とが、正面視において重なるように配置されている。
これにより、通常は電装品ボックス３０をケーシング１から外してドレン水配管３１の作業を行う必要があるが、本実施形態では、図５（ｂ）に示すように、電装品ボックス３０を回動させることができるため、このような配置であってもドレン水配管３１の付け替え等の作業の作業性を大幅に向上させることができる。
【００６１】
（９）
本実施形態の空調室内機５０では、図１および図５等に示すように、電装品ボックス３０の上端部は、ドレン水配管３１を接続する排出口２２ａの位置よりも上部にある。つまり、ドレン水配管３１の付け替え等の作業を行う際に、電装品ボックス３０の上から手を入れて作業を行うことが困難な配置となっている。
【００６２】
本実施形態では、このような作業性の悪化が見込まれる配置であっても、電装品ボックス３０の回動によってドレン水配管３１を付け替える作業等の作業性の悪化を回避することができる。
（１０）
本実施形態の空調室内機５０では、図１に示すように、正面パネル９を開けて現れる開口Ｓとドレンパン２２の排出口２２ａとの間に、電装品ボックス３０に加えて冷媒配管４０も配置されている。
【００６３】
これにより、電装品ボックス３０の巾が空調室内機５０の幅よりも小さく、電装品ボックス３０の横のスペースから手を入れてドレン水配管３１の作業を行うことができそうであるが、空調室内機５０内の幅方向における空いたスペースには、冷媒配管４０が配置されている。このため、ドレン水配管３１の作業時には、やはり電装品ボックス３０を取り除く必要があるが、本実施形態では、図５（ｂ）に示すように、電装品ボックス３０を支軸３０ａを中心にして回動させることができる。よって、このようにケーシング１内が作業し難い配置であっても、電装品ボックス３０をケーシング１から取り外すことなく、作業性を大幅に向上させることができる。
【００６４】
（１１）
本実施形態の空調室内機５０では、図１に示すように、ケーシング１内において、冷媒配管４０が電装品ボックス３０の横に並ぶように配置されている。
これにより、上記と同様に、ケーシング１内がドレン水配管３１に関する作業がやりにくい配置となっているが、電装品ボックス３０の回動によって作業性を大幅に向上させることができる。
【００６５】
（１２）
本実施形態の空調室内機５０では、ドレン水配管３１に関する作業を行う際に回動させる電装品ボックス３０に接続された複数の配線は、回動中心となる支軸３０ａの付近に集められている（図１の符号３０ｃで示す点線参照）。
これにより、電装品ボックス３０を回動させた場合でも、接続された多数の配線を切断、破損することなく、ドレン水配管３１の付け替え等の作業を行うことができる。
【００６６】
（１３）
本実施形態の空調室内機５０では、図２に示すように、ドレン水配管３１の付け替え等の作業を行う際にドレンパン２２の排出口２２ａの方へアクセスするためにケーシング１に形成された開口Ｓを、正面パネル９によって覆っている。
これにより、ドレン水配管３１の付け替え作業等を行う時以外は正面パネル９によって開口Ｓを覆うことができるため、開口Ｓ付近にある電装品ボックス３０や冷媒配管４０等の汚れや破損等を防止することができる。
【００６７】
［他の実施形態］
以上、本発明の一実施形態について説明したが、本発明は上記実施形態に限定されるものではなく、発明の要旨を逸脱しない範囲で種々の変更が可能である。
（Ａ）
上記実施形態では、電装品ボックス３０の回動中心が電装品ボックス３０の下部にある例を挙げて説明した。しかし、本発明はこれに限定されるものではない。
【００６８】
例えば、電装品ボックス３０の左右両端のいずれか一方にあってもよいし、上端にあってもよい。さらには、電装品ボックス３０が２つの部分に分断されている場合には、一方の電装品ボックスのみを回動させるようにしてもよい。
上記のいずれの場合でも、電装品ボックスを回動させることで、ドレン水配管の接続位置までのアクセスを容易にして作業性の向上という上記と同様の効果を得ることができる。
【００６９】
（Ｂ）
上記実施形態では、ドレン水配管３１の接続位置、電装品ボックス３０等が、ケーシング１内における最下段側の空間に設けられている例を挙げて説明した。しかし、本発明はこれに限定されるものではない。
例えば、ケーシング１内における中段の空間に配置されていた場合でも、上記と同様の効果を得ることができる。
【００７０】
（Ｃ）
上記実施形態では、ドレン水配管３１を回動させた際に支軸３０ａを中心にして回動させる電装品ボックス３０の回動範囲を規制するために、一端が側板４に、他端が電装品ボックス３０に接続されたワイヤー３０ｂを用いている例を挙げて説明した。しかし、本発明はこれに限定されるものではない。
【００７１】
例えば、ワイヤー３０ｂの替わりに、ひもやチェーンを用いることもできる。さらに、電装品ボックス３０を支持している支軸３０ａとともに電装品ボックス３０の回動範囲を規制する金具等を用いることもできる。
（Ｄ）
上記実施形態では、ドレン水配管３１に対してアクセスするための開口Ｓを、ケーシング１の正面側に形成した例を挙げて説明した。しかし、本発明はこれに限定されるものではない。
【００７２】
例えば、側板４の側に開口を形成して、この開口からアクセスしてドレン水配管３１等の作業を行ってもよい。
ただし、上記実施形態のようにケーシング１の正面側に開口を形成するは、空調室内機の設置状況に関わらずアクセス可能となるという点でより好ましい。
（Ｅ）
上記実施形態では、ドレン水配管３１としてホース状の部材を用いた例を挙げて説明した。しかし、本発明はドレン水配管３１の素材について上記実施形態に限定されるものではない。
【００７３】
例えば、ホース状の部材以外にも、樹脂製や金属製のパイプ等を用いることも可能である。
（Ｆ）
上記実施形態では、空調室内機５０の上部がダクト１２に接続されている例を挙げて説明した。しかし、本発明はこれに限定されるものではない。
【００７４】
例えば、図６に示すように、上部に取り付けられたプレナム５１を介して空気調和された空気を室内へ供給する空調室内機であってもよい。
【産業上の利用可能性】
【００７５】
本発明の空気調和機は、ケーシング内部に配置されたドレンパンの排出口へ容易にアクセスしてドレン水配管の取り替え等の作業の作業性を向上させることができるという効果を奏することから、電装品ボックス等の裏側に配置された各種部材に対して作業が必要となる各種装置に対して広く適用可能である。
【図面の簡単な説明】
【００７６】
【図１】本発明の一実施形態に係る空調室内機の内部の構成を示す正面図。
【図２】図１の空調室内機の内部の構成を示す側面図。
【図３】図１の空調室内機の構成を示す分解図。
【図４】図１の空調室内機のケーシング内における下段の空間内の電装品ボックスよりも奥側の構成を示す正面図。
【図５】（ａ）は図１の空調室内機が有している電装品ボックスの構成を示す正面図。（ｂ）はその側面図。
【図６】本発明の他の実施形態に係る空調室内機を示す外観図。
【図７】従来の空調室内機の内部の構成を示す正面図。
【符号の説明】
【００７７】
１      ケーシング
２      熱交換器
３      送風機
４      側板
５      前面板
６      背面板
７      天板
８      底板
９      正面パネル
１０      メンテナンスパネル
１１      空気吹出口
１２      ダクト
１３      下枠
１４      上枠
１７      ファンケーシング
２１      プーリ
２２      ドレンパン
２２ａ    排出口
２４      穴
３０      電装品ボックス
３０ａ    支軸（回動軸）
３０ｂ    ワイヤー（ストッパ）
３０ｃ    配線
３０ｄ    ねじ（固定部材）
３１      ドレン水配管
４０      冷媒配管（冷媒連絡配管）
５０      空調室内機（空気調和機）
【図１】
2006220321.tif 000003
【図２】
2006220321.tif 000004
【図３】
2006220321.tif 000005
【図４】
2006220321.tif 000006
【図５】
2006220321.tif 000007
【図６】
2006220321.tif 000008
【図７】
2006220321.tif 000009